(57)【要約】【課題】ペットへのトイレのしつけを安易にそして短期間で行うことができるペット用のトイレ及びマットとそのしつけ方法を提供することを目的とする。【解決手段】本発明のペット用トイレ及びマットは、ペット用シーツを装着できるトレイ部とその上部を覆うメッシュ部、トレイ部下部を構成するマット部から成り、トレイ部周縁である各トレイ部枠部に連結部穴を有し、そこに連結ダボを挿入することで、複数枚を連結（メッシュ部、トレイ部どちらが上でもよい）する。最初は全てメッシュ部を上として連結し、トイレのしつけの際には徐々にマット部が上の状態を増やしていく。【選択図】図１
2015195763.tif 000002
【特許請求の範囲】
【請求項１】
ペット（主に犬）にトイレのしつけを容易に行うためのペット用のトイレ及びマットであり、ペット用のトイレとしてトレイ部である排泄物の受け皿になる底面と、そこに起立した周縁部を有し、周縁部内にはペット用シーツを装備するスペースがあり、その周縁部を上部から覆う開閉可能なメッシュ部であるメッシュ状の蓋を備え、トレイ部底面外側にはマット部となるペット用のマット素材を有することにより、メッシュ部を上にしてペット用のトイレとしても、マット部を上にしてペット用のマットとしても利用可能であることを特徴とするペット用トイレ及びマットである。
【請求項２】
前記各周縁部には、メッシュ部、トレイ部、マット部からなる本体を複数枚連結するための各連結穴を複数個有し、メッシュ部とマット部のどちらを上にしても（混在しても構わない）連結ダボのようなものを隣合う双方の連結穴に差し込むことで自由な大きさで且つ表面に凹凸がない平らなペット用のトイレ及びマットを構成できることを特徴とする請求項１記載のペット用トイレ及びマットである。
【請求項３】
メッシュ部とマット部の表面では、色や素材をそれぞれ異なるものを使用することを特徴とする請求項２記載のペット用トイレ及びマットである。
【請求項４】
メッシュ部を上として複数枚連結されている場合でも、各トレイ部内に装備されたペット用のシーツを取り換える際には、メッシュ部の開閉（または取り外し等）を行うことで、各連結を外すことなく容易に取り換えることができることを特徴とする請求項３記載のペット用トイレ及びマットである。
【請求項５】
ペットの居住スペース（ケージやサークルなど）内に合わせ、最初は全てメッシュ部を上にしたトイレの状態で必要な枚数を連結して配置し、その後数日から１、２週間程度（期間はペットの個体差による）様子を見ながら、１、２枚ずつメッシュ部が上の状態からマット部を上の状態にしていくという行為を繰り返すことによって、段々とメッシュ部が上の状態のスペースを少なくし、マット部が上の状態を増やしていき、最後にはメッシュ部が上になった状態が１枚となるようにすることを特徴とするペットへのトイレのしつけ方法。
【発明の詳細な説明】
【技術分野】
【０００１】
本発明は、主に犬、猫等のペットとして飼われる小動物を対象とし、ペットが飼われている場所（主にケージやサークル等）に置かれるペット用のトイレ及びマットに関するものである。また本発明は、ペット（主に犬）にトイレのしつけを簡単に且つ短期間に行うことができるペット用のトイレ及びマット、そしてそのしつけ方法に関するものである。
【背景技術】
【０００２】
ペットがペット用のトイレにて排泄を行えるようになるためには、決められた場所に置かれたペット用のトイレにて、ペットが排泄をする度にペットを褒めたり、エサを与えたりすることを繰り返し、ペットに排泄する場所を覚えさせることが一般的で、これを行うためにはペットの排泄行為を常に監視する必要があり、飼い主に大変な苦労が強いられているのが現状である。
【０００３】
特開２００９−４５０５３号公報のように、これらの行為を簡略化するために自動的に行う装置がある。
【０００４】
また特開２００３−２３９０４号公報のようにペットのケージ内に仕切りを設け、ケージ内の空間を居住部分とトイレ部分に分け、ペットが排泄する時間にペットをトイレ部分に連れて行き、確実にトイレ部分で行えるようにするものもある。
【０００５】
更に実登３０６８９０６号公報のように、ペット用のトイレシートの取り換えが簡単な複数のトイレマットを連結させて床が汚れないような環境を提供するものもある。
【先行技術文献】
【特許文献】
【０００６】
【特許文献１】特開２００３−２３９０４号公報
【特許文献２】特開２００９−４５０５３号公報
【非特許文献】
【０００７】
【非特許文献１】実登３０６８９０６号公報
【発明の概要】
【発明が解決しようとする課題】
【０００８】
前述のような従来の技術は、ペットにトイレのしつけをするにあたり、その装置が高価なものになったり、または飼い主がペットの排泄の時間を常に監視し、定められた場所に排泄をする度に褒める、エサをやる等の面倒な行為を行うことが必要になることは避けられない。実登３０６８９０６号公報のものは、ペットへのトイレのしつけにおいて効果があるものとしていない。
【０００９】
これらの課題を解決するために、本発明は、安価で且つペットの排泄の時間等を気にすることなく、ペットのトイレのしつけを安易にそして短期間で行うことができるペット用のトイレ及びマットとそのしつけ方法を提供することを目的とする。
【課題を解決するための手段】
【００１０】
（発明１）
本発明は、ペット用のトイレ及びマットであり、主に上部のメッシュ部、下部のトレイ部、トレイ部底面外側のマット部で構成される。トレイ部内には尿吸収性のあるペット用のシーツを敷くことができ、ペットの排泄時にメッシュ部を通過してくるペットの尿等の水分を吸収することができる。メッシュ部はトレイ部の上部に設置されており、メッシュ部の開閉（または取り外し等）ができることによりペット用のシーツの取り換えが容易に行える。メッシュ部の目の粗さについては、メッシュ部の目がペットの手足の大きさを超えたり、ペットの爪等に影響を与えるようなことがないようにし、ペットがメッシュ部上部にいる場合でも、遊んだりしても不快を感じない目の粗さが望ましい。
【００１１】
（発明２）
本発明であるペット用トイレ及びマットは、トレイ部底面外側がマット状になっており、トレイ部底面外側を上にすることで、ペット用のマットとして使用することができる。このマット部は、トレイ部底面外側にペット用のマットを貼り付ける構造にするか、底面外側の素材自体をペット用のマットに適した素材にするのでもよい。
【００１２】
（発明３）
発明１と発明２は同一の物であるが、ペット用のトイレとして使用する場合は、メッシュ部を上に、ペット用のマットとして使用する場合は、マット部を上にして使用する。ペットがメッシュ部とマット部の違いをわかるようにするため、それらの色は同系色にならないようにする。例えばメッシュ部の色が黒系統の場合は、マット部が白系統の色にする。メッシュ部の色が黄系統の色の場合は、マット部の色は青紫系統の色にするなど、各々の色をペットが安易に見分けられるようにする。またメッシュ部は網状の素材、マット部はペットのマットに適した凹凸の少ない平面な素材を使用することで、各々の上で居住するペットが感じる感触でもその違いが分かるようにする。
【００１３】
（発明４）
ペットにトイレのしつけを始める際は、複数枚の本発明のペット用トイレ及びマットを連結して使用する。本ペット用トイレ及びマットを使用する枚数はペットを飼う環境や広さ等によって異なるため、本ペット用トイレ及びマットを複数枚つなげることで適したサイズにする。連結する方法は、隣り合う本ペット用トイレ及びマットのトレイ部の縦横両方向のトレイ部枠部に設けられた双方の連結部穴に連結ダボを差し込むことで連結を行う。連結は縦横方向に必要な枚数を自由に連結することができる。
【００１４】
（発明５）
前述したように本発明のペット用トイレ及びマットは、メッシュ部もマット部も上部として使用することができるため、メッシュ部を上にした本ペット用トイレ及びマット同士でも、片方がマット部を上とした本ペット用トイレ及びマットが隣接した場合でも、それぞれのトレイ部枠部に設けられた連結部穴に連結ダボを差し込むことにより連結することができる。
【００１５】
（発明６）
本発明であるペット用トイレ及びマットは、複数枚をメッシュ部及びマット部どちらを上にして連結した場合でも（混在しても構わない）、その上部全体は段差がなく平面に保たれる。こうすることにより、連結された本ペット用トイレ及びマット上部にペットが置かれる場合も、ペットが動き回る際にペットがつまずく等の支障が起きることがない。
【００１６】
（発明７）
本発明であるペット用トイレ及びマットを実際にペットにトイレをしつける目的で使用する際には、最初はペットが飼われている場所（主にケージやサークル等）の大きさや形に合わせて、本ペット用トイレ及びマットのメッシュ部を上にして必要な枚数を連結する。こうすることでペットはペットが飼われている場所内において、最初は常にペット用のトイレの上に居住することになる。この状態を数日から１、２週間程度（期間はペットの個体差による）続けることによって、ペットにトイレとしての本ペット用トイレ及びマットのメッシュ部の感触及び色等を覚え込ませる。
【００１７】
次にはメッシュ部が上になっている本ペット用トイレ及びマットを１枚ないしは２枚程取り外し、メッシュ部と同系色、同素材ではないマット部を上にして再度元の場所に取り付ける。マット部を上にする箇所を決めるには、もしペットが排泄する場所について特定の傾向が見られたら、その排泄している傾向がある場所以外のメッシュ部が上になっている本ペット用トイレ及びマットを付け替えるようにするのもよい。この状態からまた数日から１、２週間程度（期間はペットの個体差による）ペットが排泄をする様子を見守り、ペットがメッシュ部が上になっている本ペット用トイレ及びマットのみに排泄をしているのを確認する。メッシュ部を上にした本ペット用トイレ及びマットにペットが排泄をしたのを見かけた場合は、ペットを褒める、ペットにご褒美（おやつ等）をやるのも効果的である。
【００１８】
また上記において本ペット用トイレ及びマットをマット部を上にして付け直す際においては、飼い主が日頃利用しているペット用マットの上に本ペット用トイレ及びマットを置いて利用している場合は、マット部を上にして付け直すことをせずに、そのまま取り外してしまうのもよい。
【００１９】
上記を繰り返すことにより、最終的にはメッシュ部が上になった本ペット用トイレ及びマットが１枚のみになり、他の本ペット用トイレ及びマットはマット部が上になった状態になる。このメッシュ部が上になった本ペット用トイレ及びマット自体が、トイレのしつけをしたペットの実質のトイレになる。
【発明の効果】
【００２０】
本発明のペット用トイレ及びマットは、本体のトレイ部枠部に装備された連結部穴に連結ダボを差し込むことで、複数枚の本ペット用トイレ及びマットを連結することにより、ペットを飼う環境や広さ等に合わせ自由に大きさを変え、適したサイズにすることができる。
【００２１】
本発明のペット用トイレ及びマットは、ペット用のトイレとしてもペット用のマットとしても使用することができ、本ペット用トイレ及びマットを複数枚連結する場合は、メッシュ部及びマット部の広さの割合をペットへのトイレのしつけの状況によって自由に変えることができる。
【００２２】
本発明のペット用トイレ及びマットは、複数枚をメッシュ部及びマット部のどちらを上にして連結した場合でも（混在しても構わない）、その上部全体は段差がなく平面に保たれる。こうすることにより連結された本ペット用トイレ及びマット上部にペットが置かれる場合も、ペットが動き回る際につまずく等の支障が起きることがない。
【００２３】
本発明のペット用トイレ及びマットは、トレイ部内に尿吸水性のあるペット用のシートを敷くことができるので、ペットが排泄をした場合にも、トレイ部内のそのペット用のシートで受け止めることができる。またメッシュ部の開閉（または取り外し等）ができることにより、汚れたペット用シーツの取り換えが容易に行える。更に本ペット用トイレ及びマットを複数枚連結している場合でも、本ペット用トイレ及びマットの各々の連結を外すことなく、ペット用のシーツの取り換えが可能である。
【００２４】
本来ペットにトイレのしつけを行う際に、ペットの排泄行為を常に監視し、ペットが排泄をする度にペットを褒めたり、エサを与えたりすることを繰り返す等の面倒がなくなる。実際にはペットのしつけの際は、本ペット用トイレ及びマットをペットの居住スペース（ケージやサークルなど）内に合わせ、最初は全てメッシュ部を上にしたトイレの状態で必要な枚数を連結して配置し、その後数日から１、２週間程度（期間はペットの個体差による）様子を見ながら、ペットにトイレとしての本ペット用トイレ及びマットのメッシュ部の色及び感触を覚え込ませ、その後様子を見ながら、１、２枚ずつ本ペット用トイレ及びマットをマット部を上にしていくという行為を繰り返すことによって、段々とメッシュ部が上の状態のスペースが少なくなり、マット部が上の状態が増え、最後にメッシュ部が上になった本ペット用トイレ及びマットが１枚になった時に、ペットはそこを本来の自分のトイレとして意識するようになる。
【図面の簡単な説明】
【００２５】
【図１】本発明の実施の形態に係るペット用トイレ及びマットを示す平面図、右側面図、正面図と、本発明を連結する際に使用する連結部品の正面図と側面図である。
【図２】本発明の実施の形態に係るペット用トイレ及びマットのメッシュ部を開閉した状態の斜視図と、メッシュ部を開いた状態の右側面図である。
【図３】本発明の実施の形態に係るペット用トイレ及びマットのマット部の平面図と、本発明を連結する際に使用する連結部品の側面図である。
【図４】本発明の実施の形態に係るペット用トイレ及びマットを複数枚連結した状態の斜視図である。
【図５】本発明の実施の形態に係るペット用トイレ及びマットを連結した際の隙間を埋める連結用備品の平面図、正面図、右側面図、斜視図である。
【図６】本発明の実施の形態に係る連結したペット用トイレ及びマットに連結用備品を使用した状態の斜視図である。
【図７】本発明のペット用トイレ及びマットにてペットにトイレのしつけを行う際の使用例である。（実施例１）
【図８】本発明のペット用トイレ及びマットの構成例である。（実施例２）
【符号の説明】
【００２６】
１  メッシュ部
２  トレイ部
３  マット部 
４  連結ダボ
５  連結用備品
１０  メッシュ面
１１  メッシュ部枠部
１２  メッシュ部上部枠部
２０  トレイ部底面
２１ａ、２１ｂ、２１ｃ、２１ｄ  トレイ部枠部
２２ａ、２２ｂ、２３ａ、２３ｂ、２４ａ、２４ｂ、２５ａ、２５ｂ  連結部穴
５１  連結用備品屋根部
５２  連結用備品スペーサ部 
５３ａ、５３ｂ  連結部切り欠き
６ａ  ペット用トイレ及びマットＡ
６ｂ  ペット用トイレ及びマットＢ
６ｃ  ペット用トイレ及びマットＣ
【発明を実施するための形態】
【００２７】
本発明に係るペット用トイレ及びマットの構造例を以下に図面に基づいて説明するが、本発明の主旨の範囲にて細部構造を変形してもよい。
【００２８】
図１は本発明のペット用トイレ及びマット本体の平面図、正面図、側面図、本ペット用トイレ及びマットを連結する際に使用する連結ダボ１１の正面図、側面図である。
【００２９】
図２は本発明のペット用トイレ及びマット本体のメッシュ部１が開閉した状態の斜視図と、メッシュ部１を開いた状態の側面図である。本ペット用トイレ及びマットの本体の基本の形態は、図２において上部のメッシュ部１、下部のトレイ部２、トレイ部２底面外側のマット部３で構成される。
【００３０】
メッシュ部１は、表面全面がメッシュ面１０になっており、メッシュ面１０を支えるメッシュ面１０裏面に固定されたメッシュ部枠部１１と、トレイ部１の上部に固定されたメッシュ部上部枠部１２を備えて構成されている。図１、図２においてはメッシュ面１０裏面には、メッシュ部枠部１１のみ備えられているが、本発明のペット用トイレ及びマットの大きさ等により、メッシュ部枠部１１内にもメッシュ部１の補強等のために別部材を設けることをしてもよい。
【００３１】
トレイ部２はトレイ部２の底面であるトレイ部底面２０と、トレイ部２周囲を囲むトレイ部枠部２１ａ、２１ｂ、２１ｃ、２１ｄにより構成される。
【００３２】
各トレイ部枠部２１ａ、２１ｂ、２１ｃ、２１ｄの外側側面には、本発明のペット用トイレ及びマットを複数枚連結するために必要な各連結部穴２２ａ、２２ｂ、２３ａ、２３ｂ、２４ａ、２４ｂ、２５ａ、２５ｂが備えらえている。また本ペット用トイレ及びマットを複数枚連結するために、隣り合う各本ペット用トイレ及びマットの隣接する各トレイ部枠部の各連結部穴に差し込むための連結ダボ１１が用意されている。
【００３３】
本ペット用トイレ及びマットは、メッシュ部１及びマット部３のどちらも上にすることができるため、それらが混在して複数枚連結された場合でも、連結された本ペット用トイレ及びマット上部全体が段差なく平面に保たれるようになっている。このため各連結部穴の装備位置が、メッシュ部１が上でもマット部３が上でも同じように使えるように調整されている。
【００３４】
各連結部穴２２ａ、２２ｂ、２３ａ、２３ｂ、２４ａ、２４ｂ、２５ａ、２５ｂに連結ダボ１１を差し込む際には、簡単に抜けないように連結ダボ１１に各連結部穴内で応力がかかるようになっている。また図１、図４において、連結ダボ１１の形状は円柱形になっているが、連結部穴の形状、連結ダボ１１の形状や連結方法については、本発明の主旨の範囲内で、他のしかるべき構造にすることは構わない。
【００３５】
連結された本ペット用トイレ及びマット間に隙間が出来ることを防止する必要がある場合は、その隙間を埋めるために図５のような連結用備品５を使うのもよい。連結用備品５は隙間を埋めるための連結用備品スペーサ部５２を備え、隙間からペットの排泄物が入り込むのを防止するため、連結用備品スペーサ部５２上部に連結用備品屋根部５１が用意されている。
【００３６】
図２においてメッシュ部１のメッシュ部枠部１１上側は、メッシュ部上部枠部１２の下側と蝶番のような仕組みで連結されており、図２右図の様にメッシュ部１がトレイ部２に対して開閉できる。このメッシュ部１の開閉の仕組みも、その方法については限定したものではない。
【００３７】
図３においてマット部３は、トレイ部２のトレイ部底面２０外側全面に備えられ、ペット用のマットに適した素材をトレイ部底面２０外側全面に貼り付ける形態にするか、トレイ部底面２０外側自体をペット用のマットに適した素材にするのでもよい。マット部３の色についてはメッシュ部１と同系色にならない色を使う。例えばメッシュ部１の色が黒系統の場合は、マット部３が白系統の色。メッシュ部１の色が黄系統の色の場合は、マット部３の色は青紫系統の色にするなど、各々の色をペットが安易に見分けられるような組み合わせにする。またメッシュ部１のメッシュ面１０は網状の素材、マット部３はペットのマットに適した凹凸の少ない平面な素材を使用することで、各々の上で居住するペットが感じる感触でもその違いが分かるようにする。
【実施例１】
【００３８】
図７は、本発明のペット用トイレ及びマットを使い、ペットにトイレのしつけを行う際の実施例である。図７ではペットの居住スペース（ケージやサークルなど）内に６枚の本ペット用トイレ及びマットを敷き詰めた場合の例である。  
【００３９】
初期（１）は全ての本ペット用トイレ及びマットをメッシュ部を上にして連結する。その後数日から１、２週間程度（期間はペットの個体差による）、ペットにトイレとしての本ペット用トイレ及びマットのメッシュ部の色及び感触を覚え込ませる。
【００４０】
次に（２）のように１、２枚（図７では１枚）メッシュ部が上になっている本ペット用トイレ及びマットをマット部を上にして付け替える。この後ペットがマット部が上になった本ペット用トイレ及びマットの上に排泄をしていないことを確認しながら、更に（３）〜（５）のように数日から１、２週間程度（期間はペットの個体差による）後に１、２枚（図７では１枚）メッシュ部が上になっている本ペット用トイレ及びマットをマット部を上にして付け替えていくという行為を繰り返す。
【００４１】
上記しつけの途中にメッシュ部を上にした本ペット用トイレ及びマットにペットが排泄をしたのを見かけた場合は、
ペットを褒める、ペットにご褒美（おやつ等）をやるのも効果的である。
【００４２】
段々とメッシュ部が上の状態のスペースが少なくなり、マット部が上の状態が増え、（６）のように最後にメッシュ部が上になった本ペット用トイレ及びマットが１枚になった時に、ペットはそこを本来の自分のトイレとして意識するようになる。
【実施例２】
【００４３】
図８は、連結される本発明のペット用トイレ及びマットが同じ形状、サイズでない場合の実施例を示す。最後にペットのトイレとなるペット用トイレ及びマットＡである６ａの形状や大きさを確保しながら、残りのペットの居住スペース（ケージやサークルなど）の形状やサイズに合わせて、ペット用トイレ及びマットＢである６ｂ、ペット用トイレ及びマットＣである６ｃなどを提供するようにしてもよい。
【図１】
2015195763.tif 000003
【図２】
2015195763.tif 000004
【図３】
2015195763.tif 000005
【図４】
2015195763.tif 000006
【図５】
2015195763.tif 000007
【図６】
2015195763.tif 000008
【図７】
2015195763.tif 000009
【図８】
2015195763.tif 000010